(57)【要約】【課題】簡潔に構成するとともに、除草剤を拡散することなく集中的に散布できる散布装置を提供すること。【解決手段】散布装置１０は、トラック１の荷台３に載置するフレーム部１１と、荷台３に収納する第１の位置Ｐ１と側あおり５の外側で道路面に垂直方向に配置する第２の位置Ｐ２との間を回動する散布部２０とを備える。散布部２０は、モータ１５１で回動可能なノズルアーム部２１と、ノズルアーム部２１と道路面との間を回動可能なノズル部２２とを備えて構成する。ノズル部２２は、ノズルアーム部２１の長さ方向に延設するノズル台２２１と、動力噴霧機から圧力調整されて供給される除草剤を噴射するノズル口２２２とを備える。ノズル口２２２はノズル台２２１の長手方向に沿って複数個（３個）配置して除草剤を道路面の走行方向に直交する方向に線状に噴射する。【選択図】図１
0003170484.tif 000002
【実用新案登録請求の範囲】
【請求項１】
トラックの荷台に着脱可能に配置されて、走行しながら道路中央分離帯や路肩の雑草に除草剤を散布する走行式除草剤散布装置であって、
前記荷台に装着するフレーム部と、除草剤を散布する散布部と、を備え、
前記散布部は、未使用時における荷台収納位置と前記除草剤を散布する側あおり外垂直位置との２位置間を移動可能に配置されるアーム部と、前記アーム部の先端に配設されて前記側あおり外垂直位置にある前記アーム部と前記道路面との間を回動可能に装着されたノズル部と、を有して構成され、
前記ノズル部は、前記ノズル部の長手方向に沿って前記除草剤を散布する複数個のノズル口を備えるとともに前記道路面の幅方向に沿って前記除草剤を線状に噴射可能に配設されていることを特徴とする走行式除草剤散布装置。
【請求項２】
前記ノズル口が直噴型に形成されていることを特徴とする請求項１記載の走行式除草剤散布装置。
【請求項３】
前記ノズル口は、前記ノズル口を装着するノズル台に対して前記ノズル口の中心軸の周りを回動可能に配設されていることを特徴とする請求項２記載の走行式除草剤散布装置。
【請求項４】
前記除草剤は圧力調整可能に前記ノズル口から噴射されることを特徴とする請求項１，２又は３記載の走行式除草剤散布装置。
【考案の詳細な説明】
【技術分野】
【０００１】
本考案は、一般道路や高速道路における中央分離帯や路肩の雑草を除草する走行式除草剤散布装置に関する。
【背景技術】
【０００２】
一般に、一般道路や高速道路の中央分離帯又は路肩に生える雑草は、常時、除草することができず大きく伸びている場合が多い。この雑草を除去するために除草剤を散布する場合には、他の車両が走行している状態で行わなければならないことから、他の車両に邪魔にならないように散布しなければならなかった。これを解決するため、従来では、特許文献１による走行式除草剤散布装置が提案されていた。
【０００３】
これによると、散布装置はトラックの側あおりに装着され除草剤を散布する散布部と側あおりを狭持する水平可動体とを備えている。散布装置は、可動枠部を上下移動する第１の油圧式シリンダと、散布部を傾倒可能に駆動する第２の油圧式シリンダと散布部を水平方向で伸縮駆動する第３の油圧式シリンダを備えて、散布部を走行中のトラックから突出させて雑草に満遍なく除草剤を散布できるように構成されていた。
【先行技術文献】
【特許文献】
【０００４】
【特許文献１】登録実用新案第３１３８５１０号公報
【考案の開示】
【考案が解決しようとする課題】
【０００５】
特許文献１の走行式除草剤散布装置は、トラックの走行中に除草剤を散布することができるものの、傾倒アームの先端部に装着されたノズルは１個であって,除草範囲を広げるためにノズルのノズル口が中心に対して円周方向に形成されている充円錐ノズルを採用していることから、トラックの走行中に散布される除草剤は拡散してしまう傾向にあった。特にトラックの速度が速くなるとその傾向は大きく現れることとなっていた。また、少なくとも３種類の油圧シリンダを装着していたことから、複雑な構成となっていた。
【課題を解決するための手段】
【０００６】
本考案は、上述の課題を解決するものであり、従来の装置を簡潔な構造に改良するとともに除草剤の散布の際に除草剤の飛散を防止できる走行式除草剤散布装置を提供することを目的とするものである。そのために本考案に係る走行式除草剤散布装置は、以下のように構成するものである。すなわち、
請求項１記載の考案では、トラックの荷台に着脱可能に配置されて、走行しながら道路中央分離帯や路肩の雑草に除草剤を散布する走行式除草剤散布装置であって、前記荷台に装着するフレーム部と、除草剤を散布する散布部と、を備え、前記散布部は、未使用時における荷台収納位置と前記除草剤を散布する側あおり外垂直位置との２位置間を移動可能に配置されるアーム部と、前記アーム部の先端に配設されて前記側あおり外垂直位置にある前記アーム部と前記道路面との間を回動可能に装着されたノズル部と、を有して構成され、前記ノズル部は、前記ノズル部の長手方向に沿って前記除草剤を散布する複数個のノズル口を備えるとともに前記道路面の幅方向に沿って前記除草剤を線状に噴射可能に配設されていることを特徴とするものである。
【０００７】
請求項２記載の考案は、請求項１の考案に係るものであって、前記ノズル口が直噴型に形成されていることを特徴としている。
【０００８】
請求項３記載の考案は、請求項２の考案に係るものであって、前記ノズル口は、前記ノズル口を装着するノズル台に対して前記ノズル口の中心軸の周りを回動可能に配設されていることを特徴としている。
【０００９】
請求項４記載の考案は、請求項１，２，３の何れかの考案に係わるものであって、前記除草剤は圧力調整可能に前記ノズル口から噴射されることを特徴としている。
【考案の効果】
【００１０】
本考案では、この走行式除草剤散布装置のフレーム部を荷台に装着し、走行方向に直交する方向に対してフレーム部に回動可能なアーム部をトラックの荷台と側あおり外垂直位置との２位置間を移動できるように配設している。また、側あおり外垂直位置に移動したアーム部に対して、アーム部の先端に配設したノズル部がアーム部と道路面との間を回動することから、ノズル部を道路面に対して適度な角度で傾斜させることができる。ノズル部には複数個のノズル口がノズル部の長手方向に沿って形成されているから、複数のノズル口から噴射される除草剤は、道路の幅方向に線状に散布される。そのため、除草剤を道路の幅方向に沿って扇状に拡散することなく雑草に集中して散布されることとなる。
【００１１】
請求項２の考案の効果によれば、ノズル口を、１個のノズル口で複数の噴射口を中心軸の周りに配置して除草剤を拡散する充円錐型ではなく、直進状に集中して噴射する直噴型のものを使用しているから、高速中であっても除草剤を拡散しないように散布することができる。
【００１２】
請求項３の考案の効果によれば、ノズル部におけるノズル口がノズル台に対して中心軸に回動可能に配設されているから、ノズル口の噴射口がトラックの走行方向に沿って平行な溝状に形成されているものであっても、除草剤を道路上に線状に散布するため、溝状のノズル口の噴射口を９０°回転させて走行方向に対して縦方向に直交して向けることができる。
【００１３】
請求項４の考案の効果によれば、除草剤は圧力調整可能にノズル口から噴射されるので、高速で走行中でも噴射される除草剤の散布量を調整することができる。
【図面の簡単な説明】
【００１４】
【図１】本考案による実施形態の散布装置を示す正面図である。
【図２】同平面図である。
【図３】ノズル部を荷台に収納した位置を示す散布装置の側面図である。
【図４】ノズル部を側あおり外垂直位置に配置した散布装置の側面図である。
【図５】ノズル口の各形態を示す拡大正面図である。
【図６】ノズル部から除草剤を散布する状態を示す作用図である。
【図７】トラックの走行中に除草剤を散布している状態を示す作用図である。
【考案を実施するための形態】
【００１５】
次に、本考案による走行式除草剤散布装置の一形態について図面に基づいて説明する。
【００１６】
実施形態の走行式除草剤散布装置（以下、散布装置という）は、トラックの荷台に装着して使用するものであり、トラックの荷台後方から散布装置を見た状態を正面とする。従って、図１は散布装置の正面図であり、図２は平面図であり、図３、図４は側面図を示すものである。
【００１７】
図１〜３に示すように、散布装置１０は、トラック１の荷台３に配置されたフレーム部１１と、除草剤を散布する散布部２０とを備えて構成されている。
【００１８】
フレーム部１１は、荷台３の床面に設置するベース部１２と、ベース部１２上に配置されて発電機１３１及び動力噴霧機１３２を載置する支持台１３と、ベース部１２上に配置されて散布部２０を回動可能に支持する散布部支持部１４と、走行中におけるベース部１２の移動を防止するためにトラック１の側あおり５の２箇所に係止する係止板１７、１７と、を備えている。
【００１９】
散布部支持部１４には、散布部２０の回動用モータ（以下モータという）１５１を支持するモータ支持台１５と、モータ軸１５１ａを一端で軸支するための軸受１６１を載置する軸受支持台１６と、が配置されている。係止板１７は、側あおり５外に係止可能なＬ字状に形成されて、軸受支持台１６上の荷台３後方側に配置する係止板台１７１上に配置される位置と、モータ支持台１５の荷台３前方側に配置される係止板台１７１上に配置される位置との２箇所に配置されている。
【００２０】
モータ支持台１５又は軸受支持台１６は、モータ１５１又は軸受１６１が支持されていればよく、実施形態のモータ支持台１５及び軸受支持台１６は、いずれも、みぞ型鋼からなる４本の脚部分と脚部分上に載置される平板とを備えて構成されている。さらに、モータ支持台１５と軸受支持台１６とは、散布部２０を間にして対向して配置されている。
【００２１】
また、モータ支持部１５の荷台３前方側に配置されたベース部１２上には、電気部品を収納した配電盤１８が支持板１８１上に載置されている。なお、フレーム部１１は、ベース部１２上及びモータ支持部１５上に装着された複数のアイボルト１９により懸吊可能に構成されている。
【００２２】
散布部２０は、モータ１５１のモータ軸１５１ａに軸支されるノズルアーム２１とノズルアーム２１の先端でノズルアーム２１に対して回動可能に装着されるノズル部２２とを備えている。ノズルアーム２１は、モータ軸１５１ａに軸支される短アーム部２１１と短アーム部２１１の先端から屈曲して形成される長アーム部２１２とからなるＬ字状に形成されている。ノズルアーム２１は、図１における実線及び図３に示すように、長アーム部２１２が荷台３の床面上に床面と略平行となる第１の位置Ｐ１と、図１における二点鎖線及び図４に示すように、長アーム部２１２が側あおり５の外側で側あおり面と略平行な位置に配置される第２の位置Ｐ２、との間を回動可能に作動される。ノズルアーム２１の回動はモータ１５１によって行なわれ、モータ１５１の制御によって第１の位置Ｐ１及び第２の位置Ｐ２が規制されている。なお、長アーム部２１２が床面と略平行となる第１の位置Ｐ１に回動されたときに、長アーム部２１２を第１の位置Ｐ１に規制するためのストッパ部材を別に配置してもよい。
【００２３】
ノズル部２２は、動力噴霧器１３２に接続されたホース１３２ａ（図１参照）を介して除草剤が供給されるとともに、ノズルアーム２１の先端でノズルアーム２１に軸支されてノズルアーム２１の長手方向に沿って延設する管状のノズル台２２１と、ノズル台２２１の長手方向に沿って複数（実施形態では３個）のノズル口２２２とを備えている。ノズル口２２２は、図５に示すように、直噴型に形成されたものであり、各ノズル口２２２の周りを軸芯に対して回動可能に装着されている。例えば、図５（ａ）に示すノズル口２２２Ａは、円筒状の口部２２２ａが中央部に形成されているものであり、圧力がかかった除草剤が円筒状の噴射口２２２ａからそのまま外部に噴出される。図５（ｂ）に示すノズル口２２２Ｂは、中央部の円筒状の噴射口２２２ａから先端側に向かって径方向に長孔状の溝部２２２ｂを有して形成されている。溝部２２２ｂを有するノズル口２２２Ｂはその軸芯の回りに回動することができ、溝部２２２ｂの長手方向を走行方向に沿って平行や９０°回転させた縦方向に直交する方向に配置することができる。走行方向に対して道路面の幅方向に線状に散布する場合は、ノズル口２２２Ｂの溝部２２２ｂの長手方向を、走行方向に沿って縦方向に直交させた位置に向けることになる。なお、ノズル台２２１は、１本のパイプ部材を使用して長手方向に沿って複数個のノズル口２２２を設けるように形成してもよく、１個のノズル口２２２を配置した１本のパイプ部材を長手方向に複数本繋げて形成してもよい。なお、ノズルアーム２１の先端に軸支されたノズル部２２は、ノズル台２２１に取り付けた制御ボックス２２３により、図示しないモータによって、ノズルアーム２１と道路面との間を回動可能に作用される。
【００２４】
次に上記のように構成された散布装置１０の作用について図面に基づいて説明する。
【００２５】
散布装置１０のフレーム部１１をアイボルト１９にワイヤ又はロープを掛止して懸吊した後トラック１の荷台３上に載置する。そして係止板１７を側あおり５の二箇所の位置に係止する。散布装置１０のフレーム部１１には、ノズルアーム２１の長アーム部２１２が荷台３の床面と平行する第１の位置Ｐ１に収納されている。
【００２６】
この場合、除草剤を中央分離帯に散布する場合に、散布装置１０をトラック１の走行方向に対して右側の側あおり５に近接して装着し、除草剤を道路の路肩に散布する場合には、散布装置１０をトラック１の走行方向に対して左側の側あおり５に近接して装着する。
【００２７】
図６〜７に示すように、トラック１の走行前に、ノズルアーム２１を一方側の側あおり５の外側の垂直位置の第２の位置Ｐ２に回動しておく。トラック１が中央分離帯又は路肩の近くに移動すると、トラック１は約５０Ｋｍ／Ｈの速度で走行する。トラックの天井には、例えば、回転灯を点灯させて周辺の車両の運転手に除草剤を散布する合図を行う。
【００２８】
そして、除草剤を散布する位置に近づくと、運転手又は助手が操作して発電機を駆動させ、図示しないモータを駆動してノズル部２２をノズルアーム２１に対して道路面側に傾斜できるように回動する。この回動角度は、雑草の伸び状態によって適宜判断される。例えば、雑草の背が高く除草剤を道路面の幅広く散布する場合は、図６（ａ）に示すように、ノズル台２２１を道路面からの傾斜角度を大きくなるようにして、道路面から離隔した位置にして幅広く散布する。また、雑草の背が低く除草剤を道路面に集中的に散布する場合は、図６（ｂ）に示すように、道路面からの傾斜角度を小さくして道路面に接近させる。一方、ノズル部２２には動力噴霧器１３２から圧力調整された除草剤が供給されている。ノズル口２２２が図５（ｂ）に示すような溝部２２２ｂを有するノズル口２２２Ｂであれば、溝部２２２ｂの長手方向を、走行方向に対して縦方向に直交する方向に回して、道路面の幅方向に対して線状に散布できるようにしておく。そして、除草剤をノズル台２２１の長手方向に沿って配置された複数個所（実施形態では３箇所）のノズル口２２２から高圧力で噴出する。除草剤は道路面の幅方向に向かって線状に散布されることになる。
【００２９】
上述のように、散布装置１０をトラック１の荷台３上に装着しノズル部２２を側あおり５外垂直位置（第２の位置Ｐ２）に配置させて走行できるようにしたので、走行中に除草剤を散布することができる。また、ノズルアーム２１が１個のモータ１５１で２位置間を回動できるように構成したことから、散布装置１０を簡潔に構成することができる。しかも、ノズル口２２２が道路面の走行方向に対して直交する方向に複数個所に配置されているから、各ノズル口２２２から噴射される除草剤が道路面の幅方向に線状に散布されることとなり、従来のように拡散しないで集中的に散布されるから、除草効果を向上することができる。従って、トラック１を高速運転で走行することができるから他の車両には邪魔にならない。しかも、噴射される除草剤は動力噴霧器で圧力調整されることから、雑草の伸びの程度により適宜散布量を調整して散布することができる。
【００３０】
なお、本考案の走行式除草剤散布装置は、上述の形態に限定するものではない。例えば、ノズルアーム２１を、第１の位置Ｐ１から第２の位置Ｐ２に回動できれば、回動駆動源はモータ１５１でなくても他の手段であってもよい。また、ノズル部２２をノズルアーム２１に対して回動させる手段はモータではなく、例えばシリンダ手段等の他の手段であってもよい。さらには、ノズル口２２２がノズル台２２１の長手方向に沿って複数個配置されていれば、３個でなくてもそれ以上であってもよい。また、除草剤の散布状態は、雑草の伸びによって適宜決定されるものであり、１個のノズル口から噴射してもよく、３個以上で噴射させてもよい。
【００３１】
また、ノズル部２２は、ノズルアーム２１に対して回動する１本のノズル台２２１に長手方向に沿って複数個所にノズル口を設けて構成してもよく、図４に示すように、複数個所のノズル口２２２から噴射される圧力が偏ることがないように、ノズル台２２１の先端から元部側ノズル口２２２のさらに元部側に向かって一周するように、エンドレス状に配管を繋げて除草剤が循環できるようにしてもよい。
【符号の説明】
【００３２】
１、トラック
３、荷台
５、側あおり
１０、散布装置
１１、フレーム部
２０、散布部
２１、ノズルアーム（アーム部）
２２、ノズル部
２２１、ノズル台
２２２、ノズル口
【図１】
0003170484.tif 000003
【図２】
0003170484.tif 000004
【図３】
0003170484.tif 000005
【図４】
0003170484.tif 000006
【図５】
0003170484.tif 000007
【図６】
0003170484.tif 000008
【図７】
0003170484.tif 000009